(57)【要約】      （修正有）【課題】発光モジュールが装備されるランプ・ハウジングをブラケットの一側に偏向させ、これにより、ブラケットが照明器具の光出射範囲内に入らないようにし、ブラケットが照明器具の発光を遮る問題を防止できるＬＥＤ照明器具を提供する。【解決手段】ランプ・ハウジングと、発光モジュールと、ブラケットとを有し、発光モジュールがランプ・ハウジング内に設置され、ランプ・ハウジングがブラケットを介して取付面に取り付けられ、更にブラケットが台座と側面とを有し、側面が台座に傾斜的に設置され、ランプ・ハウジングと側面が可動的に接続され、台座が取付面に取り付けられる。【選択図】図２
0003213006.tif 000002
【実用新案登録請求の範囲】
【請求項１】
ランプ・ハウジングと、発光モジュールと、ブラケットとを有し、前記発光モジュールが前記ランプ・ハウジング内に設置され、前記ランプ・ハウジングが前記ブラケットを介して取付面に取り付けられ、
更に、前記ブラケットが台座と側面とを有し、
前記側面が前記台座に傾斜的に設置され、前記ランプ・ハウジングと前記側面が可動的に接続され、前記台座が前記取付面に取り付けられる、
ことを特徴とするＬＥＤ照明器具。
【請求項２】
前記ブラケットがＵ字型を呈し、
前記ブラケットが台座と両側の側面とを有し、前記両側の側面が前記台座の左右の両端にそれぞれ設置され、かつ前記両側の側面が前記台座の一側に向かって傾斜し、
前記ランプ・ハウジングが前記両側の側面の間に設置され、かつ前記両側の側面と接続される、
ことを特徴とする請求項１に記載のＬＥＤ照明器具。
【請求項３】
前記側面が前記台座の平面に対して６０°の傾斜を呈する、
ことを特徴とする請求項１又は２に記載のＬＥＤ照明器具。
【請求項４】
前記ランプ・ハウジングと前記側面の回転可能な接続部に前記ランプ・ハウジングと前記側面の接触の安定性を保証するための溝付きガスケットが設置される、
ことを特徴とする請求項２に記載のＬＥＤ照明器具。
【請求項５】
前記台座の中央にセンターホールが設置され、センターホールを円心として、前記台座に更に円弧状の溝が設置され、
前記台座が前記センターホールと円弧状の溝を介し、ネジを配備することによって前記取付面に取り付けられ、かつ前記台座がセンターホール内のネジの周りを回転することによって取付角度を調節できる、
ことを特徴とする請求項１又は２に記載のＬＥＤ照明器具。
【請求項６】
前記台座のセンターホールの両側に更にそれぞれ取付孔が設置され、前記台座が前記センターホールと前記取付孔を介し、且つネジを配備することで前記取付面に取り付けられる、
ことを特徴とする請求項５に記載のＬＥＤ照明器具。
【請求項７】
前記ランプ・ハウジングは下部ビームと、左側ビームと、右側ビームと、上部ビームと、背面カバーとを有し、
前記左側ビームと前記右側ビームの下端が前記下部ビームに接続され、上端が前記上部ビームに接続され、エンクロージャーフレーム構造を構成し、
前記背面カバーが前記エンクロージャーフレーム構造の背面をカバーするように設置され、前記発光モジュールを収容する空間を構成する、
ことを特徴とする請求項１に記載のＬＥＤ照明器具。
【請求項８】
前記左側ビーム、前記右側ビームの上、下端がそれぞれドッキングの方式によって前記上部ビーム、下部ビームとの接続を実現し、かつネジによって固定される、
ことを特徴とする請求項７に記載のＬＥＤ照明器具。
【請求項９】
前記左側ビーム、前記右側ビームの上下端に等しく差込口が設置され、
前記下部ビームの上端両側に前記差込口に対応する第一突起が設置され、前記下部ビームが前記第一突起を介して前記左側ビーム、前記右側ビームの下端の前記差込口に差し込まれて接続を実現し、
前記上部ビーム下端両側に前記差込口に対応する第二突起が設置され、前記上部ビームが前記第二突起を介して前記左側ビーム、前記右側ビームの上端の前記差込口に差し込まれて接続を実現する、
ことを特徴とする請求項８に記載のＬＥＤ照明器具。
【請求項１０】
前記下部ビーム底部にワイヤ通過孔が設置され、
前記ワイヤ通過孔にワイヤ保護リングが設置される、
ことを特徴とする請求項７に記載のＬＥＤ照明器具。
【請求項１１】
前記背面カバーに放熱孔が設置される、
ことを特徴とする請求項７に記載のＬＥＤ照明器具。
【請求項１２】
前記発光モジュールの両端にそれぞれ前記左側ビームと右側ビームが接続される、
ことを特徴とする請求項７に記載のＬＥＤ照明器具。
【請求項１３】
前記発光モジュールには、ＬＥＤ発光素子と、ＰＣＢ板と、レンズ部品と、放熱器とを有するＬＥＤモジュールが採用される、
ことを特徴とする請求項１又は１２に記載のＬＥＤ照明器具。
【請求項１４】
前記ランプ・ハウジングは、更に電源、避雷器を設置できる、
ことを特徴とする請求項１に記載のＬＥＤ照明器具。
【考案の詳細な説明】
【技術分野】
【０００１】
本考案は照明装置の設計技術分野に関わるものであり、具体的にはＬＥＤ照明器具に関わるものである。
【背景技術】
【０００２】
ＬＥＤ照明器具は、省エネ、長寿命、優れた適用性、短い応答時間、環境保護等の特長を備え、照明器具産業の発展の指針となっている。
図１に示す通り、従来のＬＥＤ照明器具は、通常、ブラケットを介して目標の取付面に取り付けられていたが、従来のブラケットは、通常、相互に垂直に設置された台座とサイドボードによって構成されている。この形式のブラケットは照明器具をブラケットの真上に位置させ、照明器具全体の照明角度を調節するに際して、ブラケットを照明器具の光出射範囲内に入り易くなってしまい、ブラケットが照明器具の光出射を遮ることで、照明器具の正常な照明に悪影響を及ぼすものであった。
【考案の概要】
【０００３】
背景技術において提起された課題につき、本考案は、ランプ・ハウジングと、発光モジュールと、ブラケットとを有し、前記発光モジュールが前記ランプ・ハウジング内に設置され、前記ランプ・ハウジングが前記ブラケットを介して取付面に取り付けられ、
更に、前記ブラケットが台座と側面とを有し、前記側面が前記台座に傾斜的に設置され、前記ランプ・ハウジングと前記側面が可動的に接続され、前記台座が前記取付面に取り付けられる、ＬＥＤ照明器具を提供する。
【０００４】
好ましくは、前記ブラケットがＵ字型を呈し、前記ブラケットが台座と両側の側面とを有し、両側の側面が前記台座の左右の両端にそれぞれ設置され、かつ前記両側の側面が前記台座の一側に向かって傾斜し、前記ランプ・ハウジングが両側の側面の間に設置され、かつ両側の側面に接続される。
【０００５】
好ましくは、前記側面が前記台座の平面に対して６０°の傾斜を呈する。
【０００６】
好ましくは、前記ランプ・ハウジングと前記側面の回転可能な接続部に前記ランプ・ハウジングと側面の接触の安定を保証するための溝付きガスケットが設置される。
【０００７】
好ましくは、前記台座の中央にセンターホールが設置され、センターホールを円心として、前記台座に更に円弧状の溝が設置される。前記台座が前記センターホールと円弧状の溝を介し、且つネジを配備することによって前記取付面に取り付けられ、かつ前記台座がセンターホール内のネジの周りを回転することによって取付角度を調節できる。
【０００８】
好ましくは、前記台座のセンターホールの両側に更にそれぞれ取付孔が設置され、前記台座が前記センターホールと取付孔を介し、且つネジを配備することで前記取付面に取り付けられる。
【０００９】
好ましくは、前記ランプ・ハウジングが下部ビームと、左側ビームと、右側ビームと、上部ビームと、背面カバーとを有し、前記左側ビームと右側ビームの下端が前記下部ビームに接続され、上端が前記上部ビームに接続され、エンクロージャーフレーム構造を構成し、前記背面カバーが前記エンクロージャーフレーム構造の背面をカバーするように設置され、前記発光モジュールを収容する空間を構成する。
【００１０】
好ましくは、前記左側ビーム、右側ビームの上、下端がそれぞれドッキングの方式によって前記上部ビーム、下部ビームとの接続を実現し、かつネジによって固定される。
【００１１】
好ましくは、前記左側ビーム、右側ビームの上下端に等しく差込口が設置され、前記下部ビームの上端両側に差込口に対応する第一突起が設置され、前記下部ビームが第一突起を介して前記左側ビーム、右側ビームの下端の差込口に差し込まれて接続を実現する。前記上部ビームの下端両側に差込口に対応する第二突起が設置され、前記上部ビームが第二突起を介して前記左側ビーム、右側ビームの上端の差込口に差し込まれて接続を実現する。
【００１２】
好ましくは、前記下部ビーム底部にワイヤ通過孔が設置され、前記ワイヤ通過孔にワイヤ保護リングが設置される。
【００１３】
好ましくは、前記背面カバーに放熱孔が設置される。
【００１４】
好ましくは、前記発光モジュールの両端にそれぞれ前記左側ビームと右側ビームが接続される。
【００１５】
好ましくは、前記発光モジュールに、ＬＥＤ発光素子と、ＰＣＢ板と、レンズ部品と、放熱器とを有するＬＥＤモジュールが採用される。
【００１６】
好ましくは、前記ランプ・ハウジングに更に電源、避雷器を設置できる。
【００１７】
本考案は以上の技術的解決手段を採用することで、従来技術に比べ、以下の優位性及び肯定的な効果を有する：
１）本考案が提供するＬＥＤ照明器具は、ブラケット中のランプ・ハウジングと接続するための側面を取付面に接続するための台座に傾斜的に設置し、発光モジュールが装備されるランプ・ハウジングをブラケットの一側に偏向させ、これにより、ブラケットが照明器具の光出射範囲内に入らないようにし、ブラケットが照明器具の発光を遮る問題を防止する。
２）本考案が提供するＬＥＤ照明器具は、ブラケットの台座上にセンターホールと円弧状の溝を設置し、台座が照明器具全体を動かしてセンターホール内のネジの周りを回転させることによって取付角度を調節し、これにより、照明角度を調節し、照明器具の投射角度の立体的な調節機能を実現する。
【図面の簡単な説明】
【００１８】
本考案の上述及びその他の特長と優位性をさらに明確に理解できるよう、以下、図面を参照して、詳細な説明を行う。
【００１９】
【図１】従来の照明装置の光出射の概要を示す図である。
【図２】本考案が提供するＬＥＤ照明器具の光出射の概要を示す図である。
【図３】本考案が提供するＬＥＤ照明器具の分解略図である。
【図４】本考案におけるブラケットの構造略図である。
【図５】本考案におけるブラケット取付角度の調節について示す概要図である。
【図６】本考案における照明器具の光照射角度の調節について示す概要図である。
【図７】本考案における一つの発光モジュールのみが取り付けられた構造略図である。
【図８】本考案における二つの発光モジュールが取り付けられた構造略図である。
【図９】本考案における三つの発光モジュールが取り付けられた構造略図である。
【考案を実施するための形態】
【００２０】
本考案の実施例に関する図面を参照して、以下、本考案について更に詳細に説明する。但し、本考案は数多くの形態によって実現できるものであり、ここに提示する実施例によって限定されるものではない。しかしながら、提示したこれら実施例は、充分及び完全な公開を実現するものであり、本技術分野の技術者に本考案の範囲を完全に理解させ得るものである。これら図面中には、明確を期してサイズ及び縮尺を拡大した部分及び領域がある。
【００２１】
図２〜７を参照するに、本考案は、ランプ・ハウジングと、ブラケット９と、発光モジュール２とを有し、発光モジュール２がランプ・ハウジング内に設置され、ランプ・ハウジングがブラケット９を介して目標の取付面に取り付けられ、更に、ブラケット９が台座９０１と側面９０２とを有し、側面９０２が台座９０１に傾斜的に設置され、ランプ・ハウジングと側面９０２が回転可能に接続され、台座９０１が目標の取付面に取り付けられるＬＥＤ照明器具を提供する。本考案が提供するＬＥＤ照明装置は、ブラケット中のランプ・ハウジングに接続するための側面９０２を取付面に接続するための台座９０１に傾斜的に設置させ、発光モジュールが装備されるランプ・ハウジングをブラケットの一側に偏向させ、これにより、ブラケットが照明器具の光出射範囲内に入らないようにし、ブラケットが照明器具の発光を遮る問題を防止する。図２を参照されたい。
【００２２】
本実施例において、図３と図４を参照するに、ブラケット９全体がＵ字型を呈し、ブラケット９は台座９０１と台座９０１の両端に設置される側面９０２とを有し、台座９０１と側面９０２が一体成型とすることができるが、これに限定されるものではない。二つの側面９０２は台座９０１の一側に向かって傾斜する、即ち、側面９０２は台座９０１の短辺方向に向かって一側に沿って傾斜する。図４を参照されたい。発光モジュール２を装備するランプ・ハウジングは二つの側面９０２の間に取り付けられ、かつランプ・ハウジングと側面９０２の間は回転可能に接続され、ＬＥＤ照明器具はブラケット９を介して目標の取付面に取り付けられ、同時にランプ・ハウジングが側面９０２との間の二つの固定点の周りを回転できることで、照明角度の調節を実現する。その他の実施例におけるブラケット９の構造はＵ字形構造に限定されず、台座と傾斜的に設置される側面を有することが保証されさえすれば良いことは言うまでもなく、これに限定されるものではない。
【００２３】
更に好ましくは、側面９０２が台座９０１の平面に対して６０°の傾斜を呈し、即ち、側面９０２と取付面の間に６０°の傾斜をつけることで、ランプ・ハウジング全体がブラケット９に対して３００°の範囲内で回転し調節を行うことができる。図６を参照されたい。側面９０２の台座９０１に対する傾斜角度は具体的な光照射のニーズ、照明器具のサイズ等の要因に応じて調整できることは言うまでもなく、これに限定されるものではない。
【００２４】
更に好ましくは、両側面９０２にネジ穴が開設され、ランプ・ハウジングの両側がネジ穴を介し、且つ固定ネジ１１を配備することでブラケット９との接続を実現する。ランプ・ハウジングと側面９０２の回転可能な接続部に溝付きガスケット１０が設置され、ランプ・ハウジングと側面の接触の安定性を保証するために用いられ、即ち、外力を加えない状況下において、ランプ・ハウジングがブラケット９に対して回転し得ないようにする。
【００２５】
本実施例において、図４に示す通り、台座９０１の中央にセンターホール９０３が設置され、センターホール９０３を円心とし、台座９０１に更に円弧状の溝９０４が設置される。台座９０１はセンターホール９０３と円弧状の溝９０４を介し、且つネジを配備することで目標の取付面に取り付けられる。この接続方式により、台座９０１が照明器具全体を動かしてセンターホール９０３内のネジの周りを回転させることによって取付角度を調節し、これにより、照明角度を調節し、照明器具の投射角度の立体的な調節機能を実現する。
【００２６】
更に好ましくは、本実施例における円弧状の溝９０４が具体的に半円形の溝であって、これにより、照明器具を取付面内において１８０°回転させて調節を行うことができる。図５に示す通り、台座９０１がセンターホール９０３内のネジの周りを角度１８０°の範囲内で回転し、同時に円弧状の溝９０４内のネジが円弧状の溝９０４に沿って移動することで調節の安定性を保証する。その他の実施例において、円弧状の溝９０４は半円形の溝ではなくても、四分の一の円形の溝でも、環状の溝でもよく、ここではいずれについても限定されるものではない。
【００２７】
更に好ましくは、台座９０１のセンターホール９０４の両側に更にそれぞれ取付孔９０５が設置され、取付孔９０５とセンターホール９０４は同一直線上にあっても、三角分布を呈してもよく、これに限定されるものではない。台座９０１はセンターホール９０４と取付孔９０５を介し、且つネジを配備することで目標の取付面に取り付けられ、この取付方式によれば、取り付けが完了した後、ブラケットの台座が固定され、回転し得ることがない。
【００２８】
本実施例において、図３に示す通り、ランプ・ハウジングは下部ビーム７と、左側ビーム５と、右側ビーム１２と、上部ビーム４と、背面カバー１とを有し、左側ビーム５と右側ビーム１２の下端が下部ビーム７に接続され、上端が上部ビーム４に接続され、これによりエンクロージャーフレーム構造が構成され、背面カバー１がエンクロージャーフレーム構造の背面をカバーするように設置され、発光モジュール２を収容するランプ・ハウジングを構成する。
【００２９】
更に、左側ビーム５、右側ビーム１２の上下端がそれぞれドッキングの方式によって上部ビーム４、下部ビーム７との接続を実現し、かつネジによって固定される。具体的には、左側ビーム５、右側ビーム１２の上下端のいずれにも差込口６を設置し、下部ビーム７の上端両側に差込口６に対応する第一突起７０１を設置し、下部ビーム７が第一突起７０１を介して左側ビーム５、及び、右側ビーム１２上端の差込口内に差し込まれて接続を実現し、かつ第一突起７０１と差込口の間は更にネジを介して固定的に接続される。上部ビーム４の下端両側に差込口に対応する第二突起４０１が設置され、上部ビーム４は第二突起４０１を介して左側ビーム、右側ビームの上端の差込口内に差し込まれて接続を実現し、かつ第二突起４０１と差込口の間は更にネジを介して固定的に接続される。
【００３０】
更に、下部ビーム７の底部にワイヤ通過孔が設置され、ランプ・ハウジング内の電線の引き出しに用いられる。また、ワイヤ通過孔に更にワイヤ保護リング８が設置され、ワイヤ通過孔のエッジによる電線の損傷を防止するために用いられる。
【００３１】
更に、背面カバー１に更に幾つかの放熱孔１０１が設置され、照明器具全体の放熱を実現するために用いられる。
【００３２】
その他の実施例において、ランプ・ハウジングの構造形式は上記のみに限定されず、これに限定されるものではない。
【００３３】
本実施例において、ランプ・ハウジング内に１つ以上の発光モジュール２を設置し、発光モジュール２はランプ・ハウジング内に取り付けられ、かつ上部ビーム４の一側に近接する。また、発光モジュール２の設置個数は使用上の必要に応じて調整することができ、例えば、図７に示す通り、ランプ・ハウジング内に一つの発光モジュール２のみを設置してもよいし、図８に示す通り、ランプ・ハウジング内に二つの発光モジュール２を設置してもよい。また図９に示す通り、ランプ・ハウジング内に三つの発光モジュール２を設置してもよく、ここではいずれについても限定されるものではない。
【００３４】
更に、発光モジュール２には、具体的には、ＬＥＤ発光素子、ＰＣＢ板、レンズ部品、放熱器で構成される、ＬＥＤモジュールを採用してもよい。発光モジュール２の構造形式は上記のみに限定されるものではなく、その他のタイプの発光モジュールを採用できることは言うまでもなく、これに限定されるものではない。
【００３５】
本実施例において、ランプ・ハウジング内には、更に、例えば電源１３、避雷器３等の、その他の電気部品を設置することもでき、これに限定されるものではない。
【００３６】
本技術分野の技術者は、本考案の精神又は範囲内において、本考案が数多くのその他具体的な形式で実現できることを理解すべきである。本考案の実施例について説明したが、本考案はこれら実施例によって制限を受けるものではなく、本技術分野の技術者ならば付属の請求項において画定される本考案の精神と範囲内で変更及び修正できることを理解すべきである。
【符号の説明】
【００３７】
１−背面カバー      １０１−放熱孔      ２−発光モジュール      ３−避雷器  
４−上部ビーム      ４０１−第二突起    ５−左側ビーム          ６−差込口  
７−下部ビーム    ７０１−第一突起      ８−ワイヤ保護リング    ９−ブラケット  
９０１−台座    ９０２−側面      ９０３−センターホール    ９０４−円弧状の溝  
９０５−取付孔    １０−溝付きガスケット      １１−固定ネジ    １２−右側ビーム  
１３−電源
【図１】
0003213006.tif 000003
【図２】
0003213006.tif 000004
【図３】
0003213006.tif 000005
【図４】
0003213006.tif 000006
【図５】
0003213006.tif 000007
【図６】
0003213006.tif 000008
【図７】
0003213006.tif 000009
【図８】
0003213006.tif 000010
【図９】
0003213006.tif 000011